(57)【要約】【課題】簡単な構成で建物の床下全体に渡って暖冷房の空気を行き渡らせることができ、しかも建物内全体に暖冷房の空気を行き渡らせることのできる暖冷房システムを提供する。【解決手段】建物１の床下および床上の空間の暖冷房を行う暖冷房システムであって、各居室と床下空間１０とを連通する床ガラリ１１〜１４を設け、床下空間１０に換気装置５０を設け、床下空間１０に間仕切り２０〜２３を設けて換気装置５０から送風される換気空気を各居室の床ガラリ１１〜１４へ案内する通気経路４０〜４２を形成し、この通気経路４０〜４２に暖冷房器６０〜６４を設け、通気経路４０〜４２に沿って換気空気を流すことにより床下空間１０および建物１の床上空間の暖冷房を行うようにした。【選択図】図２
2008111633.tif 000002
【特許請求の範囲】
【請求項１】
建物の床下および床上の空間の暖冷房を行う暖冷房システムであって、
建物の部屋と床下空間とを連通する連通孔を設け、
建物の床下空間に換気装置を設け、
前記床下空間に間仕切りを設けて前記換気装置から送風される換気空気を前記連通孔へ案内する通気経路を形成し、
暖冷房を行う暖冷房機器を前記通気経路に設け、
前記通気経路に沿って前記換気空気を流すことにより前記床下空間および床上空間の暖冷房を行うことを特徴とする暖冷房システム。
【請求項２】
前記連通孔は非居室と居室とに設けられ、この非居室および居室の連通孔から暖冷房の空気を吹き出させて建物内全体に行き渡らせるようにしたことを特徴とする請求項１に記載の暖冷房システム。
【発明の詳細な説明】
【技術分野】
【０００１】
この発明は、建物の床下空間に暖冷房の空気を送り込んで建物の床上空間や部屋の暖冷房を行う暖冷房システムに関する。
【背景技術】
【０００２】
従来から、建物の床下に温風を送り込んで床下および部屋の暖房を行う暖房システムが知られている（特許文献１参照）。
【０００３】
かかる暖房システムは、床下に蓄熱式電気暖房装置を設置し、深夜電力を利用して蓄熱式電気暖房装置に蓄熱し、暖房を使用する際には、蓄熱を利用して蓄熱式電気暖房装置から温風を排出するものである。この温風は床下を流れるとともに連通路を介して部屋に循環して部屋を暖房するものである。
【特許文献１】特開２００２−８９９６９号公報
【発明の開示】
【発明が解決しようとする課題】
【０００４】
ところで、このような暖房システムにあっては、蓄熱式電気暖房装置から温風を排出するだけなので、床下全体に温風を行き渡らせることができず、また建物内全体に温風を行き渡らせることもできないという問題があった。
【０００５】
この発明の目的は、簡単な構成で建物の床下全体に渡って暖冷房の空気を行き渡らせることができ、しかも建物内全体に暖冷房の空気を行き渡らせることのできる暖冷房システムを提供することにある。
【課題を解決するための手段】
【０００６】
請求項１の発明は、建物の床下および床上の空間の暖冷房を行う暖冷房システムであって、
建物の部屋と床下空間とを連通する連通孔を設け、
建物の床下空間に換気装置を設け、
前記床下空間に間仕切りを設けて前記換気装置から送風される換気空気を前記連通孔へ案内する通気経路を形成し、
暖冷房を行う暖冷房機器を前記通気経路に設け、
前記通気経路に沿って前記換気空気を流すことにより前記床下空間および床上空間の暖冷房を行うことを特徴とする。
【０００７】
請求項２の発明は、建物の床下および床上の空間の暖冷房を行う暖冷房システムであって、
建物の部屋と床下空間とを連通する連通孔を設け、
建物の床下空間に換気装置を設け、
前記床下空間に間仕切りを設けて前記換気装置から送風される換気空気を前記連通孔へ案内する通気経路を形成し、
暖冷房を行う暖冷房機器を前記通気経路に設け、
前記通気経路に沿って前記換気空気を流すことにより前記床下空間および床上空間の暖冷房を行うことを特徴とする。
【発明の効果】
【０００８】
この発明によれば、簡単な構成で建物の床下全体と建物内全体に渡って暖冷房の空気を行き渡らせることができる。
【発明を実施するための最良の形態】
【０００９】
以下、この発明に係る暖冷房システムの実施の形態である一実施例を図面に基づいて説明する。
【実施例】
【００１０】
図１はこの発明に係る換気システムを適用した建物１を示す。この建物１は、部屋であるリビングダイニング（居室）２と、部屋である和室（居室）３と部屋であるキッチン（非居室）４と、部屋である浴室（非居室）５と、部屋であるトイレ（非居室）６と、部屋である洗面所（非居室）７と、ホール（非居室）８等とを有している。そして、リビングダイニング２と和室３と洗面所７の床に床下空間１０（図２および図３参照）に連通する連通孔である床ガラリ（吹出口）１１〜１４（図２参照）が設けられている。
【００１１】
また、図２に示すように建物１の床下空間１０には、間仕切り２０〜２２が設けられており、この間仕切り２０〜２３と建物１の基礎３０〜３７とによって破線の矢印で示す通気経路４０〜４３が形成されている。また、間仕切り２０〜２２は、床下全体渡って空気が流れるように設けたものである。すなわち、床下全体に渡って空気が流れるように通気経路４０〜４３を形成したものである。
【００１２】
なお、床下空間１０は基礎３０〜３７と基礎１０Ａ（図３参照）と図示しない断熱材等とにより基礎断熱され閉空間となっている。
【００１３】
そして、トイレ６の床下の位置の床下空間１０ａには、図２および図３に示すように換気装置５０が設けられており、この換気装置５０には外気を吸入するための吸入ダクト５１と、吸入した外気を給気するための給気ダクト５２,５３とが取り付けられている。また、換気装置５０は吸入ダクト５１から外気を吸入して給気ダクト５２,５３へ送風する送風ファン（図示せず）と、吸入した外気を清浄する例えばＮoxフィルタ（図示せず）等とを備えている。なお、図３において９は建物１の床である。
【００１４】
各通気経路４０〜４３には暖冷房機器６０〜６４が設けられており、暖冷房機器６０,６１はリビングダイニング２の床下に配置され、暖冷房機器６２はホール８の床下に配置され、冷暖房機器６３は和室３の床下に配置され、冷暖房機器６４はトイレの床下に配置されている。
【００１５】
そして、床ガラリ１１〜１４と通気路４０〜４３と換気装置５０と暖冷房機器６０〜６４等とで暖冷房システムが構成されている。
【００１６】
次に、上記のように構成される暖冷房システムの動作について説明する。
【００１７】
換気装置５０が駆動されると、吸入ダクト５１から外気が吸入され、この外気が図示しないフィルタにより清浄されて吸気ダクト５２,５３から床下１０へ送風（給気）される。
【００１８】
この床下１０へ送風された換気空気は、間仕切り２０〜２３および基礎３０〜３７により、図２に示す通気経路４０〜４３に沿って流れていく。各通気経路４０〜４３に暖冷房機器６０〜６４が配置されていることにより、通気経路４０〜４３に沿って流れてきた換気空気は暖冷房機器６０〜６４で加熱または冷却され、この加熱または冷却された換気空気（暖冷房空気）は床ガラリ１１〜１４からリビングダイニング２と和室３と洗面所７へ給気されていき、さらにホール８やキッチン４等にも給気されていく。このため、暖冷房の空気を建物１内全体すなわち建物１内の床上空間全体に行き渡らせることができ、建物１内の床上空間全体をまんべんなく暖冷房することができる。
【００１９】
さらに、床ガラリ１１〜１４から給気される換気空気は、暖冷房機器６０〜６４で加熱または冷却されるので、すなわち、換気空気に暖房や冷房の熱をのせて建物１内の床上空間全体に渡って暖房や冷房するため、不快なドラフトのない暖房や冷房を行うことができる。
【００２０】
また、間仕切り２０〜２３を設けて床下全体に空気が流れるように通気経路４０〜４３を形成しているので、床下空間１０全体に渡って暖冷房の空気を流すことができ、このため、建物１内全体に渡ってさらにまんべんなく暖冷房を行うことができる。
【００２１】
上述のように、間仕切り２０〜２３および基礎３０〜３７によって通気経路４０〜４３を形成し、換気装置５０に設けられている送風ファンだけで建物１の床下空間１０全体に換気空気を行き渡らせるようにしたものであるから、その構成は簡単であり、安価な暖冷房システムを提供することができる。
【００２２】
また、暖冷房された換気空気の上流に居室（和室３やリビングダイニング２）が、下流に非居室（ホール８や洗面所７やトイレ６）が位置するように床ガラリの設ける位置や通気経路を設定することで、部屋の用途に応じた温度となるよう効率よく暖冷房で調温された空気を床ガラリから給気することができる。
【００２３】
さらに、調湿や脱臭等の付加機能を換気装置５０に設ければ、上記と同様にして建物１内の床上空間全体を調湿や脱臭を行うことができる。
【図面の簡単な説明】
【００２４】
【図１】この発明に係る暖冷房システムを適用した建物の間取りを示した間取り図である。
【図２】図１の建物の床下の構成を示した説明図である。
【図３】図１の建物の床下の構成を概念的に示した断面図である。
【符号の説明】
【００２５】
１          建物
１０          床下空間
１１〜１４    床ガラリ（連通孔）
２０〜２３    間仕切り
４０〜４２    通気経路
５０          換気装置
６０〜６４    暖冷房器
【図１】
2008111633.tif 000003
【図２】
2008111633.tif 000004
【図３】
2008111633.tif 000005